(57)【特許請求の範囲】
【請求項１】
一対のビード部と、前記ビード部から各々タイヤ径方向外側に延びるサイドウォール部と、前記サイドウォール部の各々のタイヤ径方向外側端に連なるトレッド部と、前記一対のビード部の間に配設されたカーカスプライと、を備えた空気入りタイヤにおいて、
タイヤ周方向に沿ってコードを渦巻状に巻回してなる巻回体が、前記カーカスプライの端部の外側と内側に設けられ、その外側巻回体の非波形状のコードで構成された内周側部分と非波形状のコードで構成された内側巻回体とで前記カーカスプライの端部を挟み込んでおり、前記外側巻回体がリムフランジの外周側湾曲面よりもタイヤ径方向外側に突出する外周端を有し、前記外側巻回体の外周側部分を構成するコードが、タイヤ径方向に振幅を有する波形状に成形され、
前記外側巻回体の外周側部分を構成する波形状のコードが、タイヤ径方向外側に向かって振幅を徐々に大きくすることを特徴とする空気入りタイヤ。
【請求項２】
一対のビード部と、前記ビード部から各々タイヤ径方向外側に延びるサイドウォール部と、前記サイドウォール部の各々のタイヤ径方向外側端に連なるトレッド部と、前記一対のビード部の間に配設されたカーカスプライと、を備えた空気入りタイヤにおいて、
タイヤ周方向に沿ってコードを渦巻状に巻回してなる巻回体が、前記カーカスプライの端部の外側と内側に設けられ、その外側巻回体の非波形状のコードで構成された内周側部分と非波形状のコードで構成された内側巻回体とで前記カーカスプライの端部を挟み込んでおり、前記外側巻回体がリムフランジの外周側湾曲面よりもタイヤ径方向外側に突出する外周端を有し、前記外側巻回体の外周側部分を構成するコードが、タイヤ径方向に振幅を有する波形状に成形され、
前記外側巻回体の外周側部分を構成する波形状のコードが、タイヤ径方向外側に向かって波長を徐々に小さくすることを特徴とする空気入りタイヤ。
【請求項３】
一対のビード部と、前記ビード部から各々タイヤ径方向外側に延びるサイドウォール部と、前記サイドウォール部の各々のタイヤ径方向外側端に連なるトレッド部と、前記一対のビード部の間に配設されたカーカスプライと、を備えた空気入りタイヤにおいて、
タイヤ周方向に沿ってコードを渦巻状に巻回してなる巻回体が、前記カーカスプライの端部の外側と内側に設けられ、その外側巻回体の非波形状のコードで構成された内周側部分と非波形状のコードで構成された内側巻回体とで前記カーカスプライの端部を挟み込んでおり、前記外側巻回体がリムフランジの外周側湾曲面よりもタイヤ径方向外側に突出する外周端を有し、前記外側巻回体の外周側部分を構成するコードが、タイヤ径方向に振幅を有する波形状に成形され、
前記外側巻回体の外周側部分が、前記波形状のコードの振幅をタイヤ径方向外側に向かって徐々に大きくする振幅変化領域と、その振幅変化領域の内周側にて、前記振幅変化領域の最小振幅よりも振幅を大きくした振幅大領域とを有し、前記振幅大領域の外周端がリム基準径位置からタイヤ径方向外側に１０〜１５ｍｍとなる位置に配されたことを特徴とする空気入りタイヤ。
【請求項４】
一対のビード部と、前記ビード部から各々タイヤ径方向外側に延びるサイドウォール部と、前記サイドウォール部の各々のタイヤ径方向外側端に連なるトレッド部と、前記一対のビード部の間に配設されたカーカスプライと、を備えた空気入りタイヤにおいて、
タイヤ周方向に沿ってコードを渦巻状に巻回してなる巻回体が、前記カーカスプライの端部の外側と内側に設けられ、その外側巻回体の非波形状のコードで構成された内周側部分と非波形状のコードで構成された内側巻回体とで前記カーカスプライの端部を挟み込んでおり、前記外側巻回体がリムフランジの外周側湾曲面よりもタイヤ径方向外側に突出する外周端を有し、前記外側巻回体の外周側部分を構成するコードが、タイヤ径方向に振幅を有する波形状に成形され、
前記外側巻回体の外周側部分が、前記波形状のコードの波長をタイヤ径方向外側に向かって徐々に小さくする波長変化領域と、その波長変化領域の内周側にて、前記波長変化領域の最大波長よりも波長を小さくした波長小領域とを有し、前記波長小領域の外周端がリム基準径位置からタイヤ径方向外側に１０〜１５ｍｍとなる位置に配されたことを特徴とする空気入りタイヤ。
【請求項５】
前記外側巻回体及び前記内側巻回体を構成するコードが、フィラメントを撚ったスチールコードであり、該スチールコードの１本当たりの引張り強力が０．５〜３．５ｋＮである請求項１〜４いずれか１項に記載の空気入りタイヤ。
【請求項６】
前記波形状のコードが配置される領域が、リム基準径位置からタイヤ断面高さの４５％以下にある請求項１〜５いずれか１項に記載の空気入りタイヤ。
【請求項７】
前記波形状のコードが配置される領域が、リム基準径位置から１０ｍｍ以上タイヤ径方向外側にある請求項１〜６いずれか１項に記載の空気入りタイヤ。
【発明の詳細な説明】
【技術分野】
【０００１】
本発明は、ビード部、サイドウォール部、トレッド部及びカーカスプライを備えた空気入りタイヤに関し、特にビード部からサイドウォール部にわたる領域での補強構造に関するものである。
【背景技術】
【０００２】
図１３に示すように、一般的な空気入りタイヤのビード部３１には、スチール製ビードワイヤの収束体をゴム被覆してなる環状のビードコア３１ａと、断面三角形状の硬質ゴムからなるビードフィラー３１ｂとが配設される。カーカスプライ３４は、一対のビード部３１の間に架け渡されるように配設され、端部３４ａがビードコア３１ａを介して外側に巻き上げた状態で係止される。タイヤは、ビード部３１がリムフランジＲＦに内接するようにしてリムＲに組み付けられる。
【０００３】
このような従来タイヤにおいて、特に扁平率が低いタイヤにおいては、ビード部３１からサイドウォール部３２にわたる領域での剛性を高めるべく、スチール等からなるサイド補強層３５が設けられることがある。かかるサイド補強層３５は、タイヤの成型工程とは別工程で作成して貼り付けられ、特にコア成型においてサイド補強層３５を貼り付ける場合には、事前にサイド補強層３５を具備したビード部材を準備することができないため、これを貼り付けるための専用装置が必要になる。
【０００４】
上記の如き補強構造に関し、下記特許文献１に記載のタイヤでは、ビードフィラーの外側面にタイヤ周方向に延在するコードを渦巻状に巻回添着して補強層を設けている。また、下記特許文献２に記載のタイヤでは、ビードコアを構成するスチールワイヤをタイヤ外周側に連続して巻き付けて補強部を設けている。これらは何れも操縦安定性の向上を図るものである。更に、下記特許文献３に記載のタイヤでは、カーカスプライの端部をタイヤ周方向に配列したコードによって両側から挟み込み、そのカーカスプライの端部の外側ではコードを高く積み上げている。
【０００５】
しかしながら、上記の何れのタイヤにおいても、ビード部からサイドウォール部にわたる領域での補強効果が得られるものの、その反面、リムフランジ近辺からサイドウォール部にわたってリムとは接しない領域の剛性が高くなる傾向にある。そのため、走行時の負荷入力などによりタイヤが撓み変形すると、当該領域における歪みが大きくなり、タイヤの耐久性が損なわれるおそれがある。
【特許文献１】特開２００３−４８４０９号公報
【特許文献２】特開２００６−２６４４８１号公報
【特許文献３】特表２００３−５１４７０６号公報
【発明の開示】
【発明が解決しようとする課題】
【０００６】
本発明は上記実情に鑑みてなされたものであり、その目的は、ビード部からサイドウォール部にわたる領域を補強しながらも、優れた耐久性を発揮することができる空気入りタイヤを提供することにある。
【課題を解決するための手段】
【０００７】
上記目的は、下記の如き本発明により達成できる。即ち、本発明の空気入りタイヤは、一対のビード部と、前記ビード部から各々タイヤ径方向外側に延びるサイドウォール部と、前記サイドウォール部の各々のタイヤ径方向外側端に連なるトレッド部と、前記一対のビード部の間に配設されたカーカスプライと、を備えた空気入りタイヤにおいて、タイヤ周方向に沿ってコードを渦巻状に巻回してなる巻回体が、前記カーカスプライの端部の外側と内側に設けられ、その外側巻回体と内側巻回体とで前記カーカスプライの端部を挟み込んでおり、前記外側巻回体がリムフランジの外周側湾曲面よりもタイヤ径方向外側に突出する外周端を有し、前記外側巻回体の外周側部分を構成するコードが、タイヤ径方向に振幅を有する波形状に成形されているものである。
【０００８】
本発明の空気入りタイヤは、カーカスプライの端部がコードの巻回体により両側から挟み込まれたビード構造を有するものである。そして、その外側巻回体がリムフランジの外周側湾曲面よりもタイヤ径方向外側に突出する外周端を有しており、これによってビード部からサイドウォール部にわたる領域を補強できる。しかも、外側巻回体の外周側部分を構成するコードが、タイヤ径方向に振幅を有する波形状に成形されているため、タイヤが撓み変形する際には、リムフランジ近辺からサイドウォール部にわたる領域が柔軟に伸縮し、当該領域での剛性の上昇を抑えて優れた耐久性を発揮することができる。
【０００９】
本発明では、前記外側巻回体の外周側部分を構成する波形状のコードが、タイヤ径方向外側に向かって振幅を徐々に大きくするものが好ましい。かかる構成によれば、タイヤの撓みに対する柔軟性がタイヤ径方向外側に向かって徐々に大きくなるため、リムフランジ近辺からサイドウォール部にわたる領域がタイヤの撓み変形に追従し易くなり、歪みの増加を抑えてタイヤの耐久性を効果的に高めることができる。
【００１０】
本発明では、前記外側巻回体の外周側部分を構成する波形状のコードが、タイヤ径方向外側に向かって波長を徐々に小さくするものが好ましい。かかる構成によれば、タイヤの撓みに対する柔軟性がタイヤ径方向外側に向かって徐々に大きくなるため、リムフランジ近辺からサイドウォール部にわたる領域がタイヤの撓み変形に追従し易くなり、歪みの増加を抑えてタイヤの耐久性を効果的に高めることができる。
【００１１】
本発明では、前記外側巻回体の外周側部分が、前記波形状のコードの振幅をタイヤ径方向外側に向かって徐々に大きくする振幅変化領域と、その振幅変化領域の内周側にて、前記振幅変化領域の最小振幅よりも振幅を大きくした振幅大領域とを有し、前記振幅大領域の外周端がリム基準径位置からタイヤ径方向外側に１０〜１５ｍｍとなる位置に配されたものが好ましい。
【００１２】
かかる構成によれば、振幅変化領域においては、タイヤの撓みに対する柔軟性がタイヤ径方向外側に向かって徐々に大きくなり、リムフランジ近辺からサイドウォール部にわたる領域がタイヤの撓み変形に追従し易くなって、タイヤの耐久性を高めることができる。それでいて、振幅変化領域の内周側に振幅大領域が形成されることにより、リムフランジの外周端付近に集中しがちな歪みを緩和して、ビード部の耐久性を高めることができる。
【００１３】
本発明では、前記外側巻回体の外周側部分が、前記波形状のコードの波長をタイヤ径方向外側に向かって徐々に小さくする波長変化領域と、その波長変化領域の内周側にて、前記波長変化領域の最大波長よりも波長を小さくした波長小領域とを有し、前記波長小領域の外周端がリム基準径位置からタイヤ径方向外側に１０〜１５ｍｍとなる位置に配されたものが好ましい。
【００１４】
かかる構成によれば、波長変化領域においては、タイヤの撓みに対する柔軟性がタイヤ径方向外側に向かって徐々に大きくなり、リムフランジ近辺からサイドウォール部にわたる領域がタイヤの撓み変形に追従し易くなって、タイヤの耐久性を高めることができる。それでいて、波長変化領域の内周側に波長小領域が形成されることにより、リムフランジの外周端付近に集中しがちな歪みを緩和して、ビード部の耐久性を高めることができる。
【００１５】
本発明では、前記外側巻回体及び前記内側巻回体を構成するコードが、フィラメントを撚ったスチールコードであり、該スチールコードの１本当たりの引張り強力が０．５〜３．５ｋＮであるものが好ましい。
【００１６】
このようなスチールコードを使用することにより、ビード部のワイヤー強力を確保しながら、タイヤ剛性と耐久性を両立できるという点で有利である。また、外側巻回体と内側巻回体とを同じ材質とすることで、タイヤ成型時の部材の段替えロスを無くし生産性が向上するという点で有利である。
【００１７】
本発明では、前記波形状のコードが配置される領域が、リム基準径位置から１０ｍｍ以上タイヤ径方向外側であって且つタイヤ断面高さの４５％以下にあるものが好ましい。
【００１８】
上記構成によれば、波形状のコードがリム径基準位置から１０ｍｍ以上タイヤ径方向外側に配置されることにより、外側巻回体の内周側部分では剛性が確保され、タイヤのビード耐久性能を良好に維持できる。また、波形状のコードがリム径基準位置からタイヤ断面高さの４５％以下に配置されることにより、歪みが集中し易いタイヤ最大幅位置の近辺には外側巻回体の外周端が配置されず、タイヤの一般耐久性能を良好に維持できる。
【発明を実施するための最良の形態】
【００１９】
以下、本発明の実施の形態について、図面を参照しながら説明する。本発明は、図６〜１０に示すように外側巻回体の外周側部分を構成する波形状のコード７ｏが、振幅または波長を変化させるものであるが、図１〜５において、そのような振幅または波長の変化がない場合について、このタイヤの構造を予め説明する。図１は、本発明に係る空気入りタイヤを概略的に示すタイヤ子午線断面図である。図２は、そのビード部からサイドウォール部にわたる領域を示す部分断面図である。
【００２０】
本発明の空気入りタイヤは、図１に示すように、一対のビード部１と、ビード部１から各々タイヤ径方向外側に延びるサイドウォール部２と、サイドウォール部２の各々のタイヤ径方向外側端に連なるトレッド部３と、一対のビード部１の間に架け渡されるようにして配設されたカーカスプライ４と、を備えるものである。
【００２１】
カーカスプライ４は、タイヤ周方向に対して略９０°の角度で延びるコードをゴム被覆して形成される。該コードとしては、ポリエステルやレーヨン、ナイロン、アラミド等の有機繊維コードが例示される。図示を省略しているが、カーカスプライ４のトレッド部３外周には、ベルトプライにより構成されたベルト層が配設され、更にその外周には必要に応じてベルト補強層が配設される。
【００２２】
ビード部１では、タイヤ周方向に沿ってコード７を渦巻状に巻回してなる巻回体５，６が、カーカスプライ４の端部４ａの外側と内側に設けられている。この端部４ａは、その外側に位置する外側巻回体５と内側に位置する内側巻回体６とにより挟み込まれ、両巻回体５，６の間で係止されている。巻回体５，６は、何れもフィラメントを撚ったスチールコードにより構成され、その材質は互いに同じである。該スチールコードの１本当たりの引張り強力は０．５〜３．５ｋＮである。
【００２３】
外側巻回体５は、リムフランジＲＦの外周側湾曲面よりもタイヤ径方向外側に突出する外周端５ａを有する。これにより、従来のサイド補強層を代替して或いは補完して、ビード部１からサイドウォール部２にわたる領域を補強できる。外周端５ａは、リム基準径位置ＲＰからタイヤ径方向外側に好ましくは２０ｍｍ以上、より好ましくは２５ｍｍ以上となる位置に配される。
【００２４】
外側巻回体５は、外周側部分を構成するコード７ｏが、図３，４に示すようなタイヤ径方向に振幅を有する波形状に成形されていると共に、内周側部分を構成するコード７ｉは、そのような振幅を有しない非波形状である。図４では、内周側から４周目以降が波形状に成形され、その波形状のコード７ｏが一定の振幅と波長で延在する例を示す。本明細書では、渦巻状に巻回されたコード７に対し、外周側部分を構成する波形状の部分に符号７ｏを付し、内周側部分を構成する非波形状の部分に符号７ｉを付して説明する。
【００２５】
かかる構成によれば、タイヤが撓み変形するに際して、リムフランジＲＦ近辺からサイドウォール部２にわたる領域（例えば図１における領域９）が柔軟に伸縮する。したがって、本来であれば外側巻回体５の配設により当該領域での剛性が上昇するところ、本発明では、この領域にてコード７を波形状とすることで剛性の上昇を抑え、優れた耐久性を発揮することができる。しかも、コード７ｏとコード７ｉとが連続していて、それらの間に段差などが形成されないため、該段差などに起因した故障の発生を免れ得る。
【００２６】
内側巻回体６を構成するコード７は、外側巻回体５の内周側部分と同様に、振幅を有しない非波形状である。このため、カーカスプライ４の端部４ａは、外側巻回体５の内周側部分と内側巻回体６とにより強固に係止される。また、ビード部１の下部周辺の剛性が適切に確保され、タイヤのビード耐久性能を良好に維持できると共に、リムＲにビード部１を安定して嵌合することができる。
【００２７】
本発明では、波形状のコード７ｏが配置される領域が、リム基準径位置ＲＰから１０ｍｍ以上タイヤ径方向外側にあることが好ましい。これにより、外側巻回体５の内周側部分での剛性を確保して、タイヤのビード耐久性能を良好に維持できる。また、波形状のコード７ｏが配置される領域は、リム基準径位置ＲＰからタイヤ断面高さＨの４５％以下にあることが好ましい。これにより、歪みが集中し易いタイヤ最大幅位置ＷＢの近辺には外側巻回体５の外周端５ａが配置されず、タイヤの一般耐久性能を良好に維持できる。
【００２８】
リム基準径位置ＲＰとは、リムＲのリム径を定める基準位置であり、リムＲには正規リムが採用される。正規リムとは、ＪＡＴＭＡに規定される標準リム、ＴＲＡに規定される"Design Rim"、或いはＥＴＲＴＯに規定される"Measuring Rim"が該当する。また、断面高さＨは、タイヤを正規リムに装着して正規内圧を充填した無負荷の状態で測定したものとする。正規内圧は、各規格の寸法測定時の内圧であり、乗用車の場合は１８０ｋＰａが採用される。
【００２９】
タイヤの撓み変形時に十分な柔軟性及び伸縮性を発揮する観点から、波形状のコード７ｏの振幅Ａは０．５ｍｍ以上が好ましい。また、同じ理由から、コード７ｏの波長Ｌは３ｍｍ以上且つ３０ｍｍ以下が好ましい。
【００３０】
このように、本発明は、外側巻回体５を構成するコード７に対して、波形状の部分と非波形状の部分とを意図的に且つ連続的に設けたものであり、それによってビード部１からサイドウォール部２にわたる領域を補強しながらも、優れた耐久性を発揮できるものである。本発明では、コード７の巻回数や巻回密度、並びに波形状のコード７ｏの振幅や波長を適宜に調整することで、外側巻回体５の伸縮性を変化させることができ、リムフランジ近辺からサイドウォール部２にわたる領域の剛性を制御可能である。
【００３１】
本発明の空気入りタイヤは、ビード部１からサイドウォール部２にわたる領域を補強でき、しかも優れた耐久性を発揮するため特に扁平タイヤとして有用であり、その扁平率（タイヤ断面高さＨ／タイヤ断面幅Ｗ×１００）は例えば５５％以下である。
【００３２】
本発明の空気入りタイヤは、ビード部１を構成するにあたり、上記の如き外側巻回体５と内側巻回体６とでカーカスプライ４の端部４ａを挟み込む程度の改変で、その他は従来のタイヤ製造工程と同様にして製造を行うことができる。このように端部４ａを挟み込む構造自体は公知であり、上述したサイド補強層の貼り付けに関する不具合は生じない。
【００３３】
外側巻回体５及び内側巻回体６を構成するコード７は、例えば図５に示すような装置を用いて波形状に成形することができる。この装置では、コード７を挟んで配置された一対のギア８が、回転自在に支持されていると共に、不図示の移動機構によって互いに近接可能に構成されている。この一対のギア８をコード７に押し付けながら回転させることで、コード７を図３のような波形状に成形することができる。
【００３４】
本発明の空気入りタイヤは、ビード部からサイドウォール部にわたる領域の構造以外は、通常の空気入りタイヤと同等であり、従来公知の材料、形状、構造などが何れも本発明に採用できる。
【００３５】
前述の形態では、外側巻回体の外周側部分を構成する波形状のコードが、振幅を一定にして延在する例を示したが、本発明では、図６〜１０に示すように、外側巻回体の外周側部分を構成する波形状のコード７ｏが、振幅または波長を変化させる。なお、図６及び後述する図７〜１０では、視覚的に分かり易くするため、タイヤ径方向に隣り合うコード７ｏの波数を同じにして記載している。
【００３６】
図６の例では、外側巻回体の外周側部分を構成する波形状のコード７ｏが、波長を一定にしつつ、タイヤ径方向外側に向かって振幅を徐々に大きくしている。かかる構成によれば、タイヤの撓みに対する柔軟性がタイヤ径方向外側に向かって徐々に大きくなり、リムフランジ近辺からサイドウォール部にわたる領域がタイヤの撓み変形に追従し易くなるため、歪みの増加が抑えられ、より優れた耐久性を発揮できる。
【００３７】
この場合、タイヤ周方向において柔軟性を均一化する観点から、巻回したコードの１周分又は複周分ごとに振幅を異ならせることが好ましい。このような振幅の変化は、図５に示した装置において、ギア８のコード７への押し付け量を適宜に変化させることで実施できる。
【００３８】
［他の実施形態］
（１）前述の実施形態では、外側巻回体の外周側部分を構成する波形状のコードが、波長を一定にして延在する例を示したが、本発明はこれに限られるものではなく、図７に示すような形状でも構わない。
【００３９】
図７の例では、外側巻回体の外周側部分を構成する波形状のコード７ｏが、振幅を一定にしつつ、タイヤ径方向外側に向かって波長を徐々に小さくしている。かかる構成によれば、タイヤの撓みに対する柔軟性がタイヤ径方向外側に向かって徐々に大きくなり、リムフランジ近辺からサイドウォール部にわたる領域がタイヤの撓み変形に追従し易くなるため、歪みの増加が抑えられ、より優れた耐久性を発揮できる。
【００４０】
この場合、タイヤ周方向において柔軟性を均一化する観点から、巻回したコードの１周分又は複周分ごとに波長を異ならせることが好ましい。このような波長の変化は、図５に示した装置を用いてコード７を波形状に成形するに際し、途中でギア８を歯のピッチが異なるものに交換するようにすればよい。
【００４１】
（２）図８は、外側巻回体の外周側部分を構成する波形状のコード７ｏが、タイヤ径方向外側に向かって振幅を徐々に大きくしつつ、波長を徐々に小さくしている例である。この場合、振幅の変化による効果と波長の変化による効果とが相俟って、タイヤの撓みに対する柔軟性が大きく向上し、より優れた耐久性を発揮することができる。
【００４２】
（３）図９は、外側巻回体の外周側部分が、コード７ｏの振幅をタイヤ径方向外側に向かって徐々に大きくする振幅変化領域１１と、その振幅変化領域１１の内周側にて、振幅変化領域１１の最小振幅よりも振幅を大きくした振幅大領域１２とを有する例である。この振幅大領域１２の外周端は、リム基準径位置ＲＰからタイヤ径方向外側に１０〜１５ｍｍとなる位置に配される。
【００４３】
この場合、振幅変化領域１１においては、タイヤの撓みに対する柔軟性がタイヤ径方向外側に向かって徐々に大きくなり、リムフランジ近辺からサイドウォール部にわたる領域がタイヤの撓み変形に追従し易くなって、タイヤの耐久性を高めることができる。それでいて、振幅変化領域１１の内周側に振幅大領域１２が形成されることにより、リムとの接触端となるリムフランジＲＦの外周端付近（リム基準径位置ＲＰから１５〜２０ｍｍ上の辺り）での歪みの集中を緩和して、ビード部１の耐久性を高めることができる。
【００４４】
（４）図１０は、外側巻回体の外周側部分が、コード７ｏの波長をタイヤ径方向外側に向かって徐々に小さくする波長変化領域２１と、その波長変化領域２１の内周側にて、波長変化領域２１の最大波長よりも波長を小さくした波長小領域２２とを有する例である。この波長小領域２２の外周端は、リム基準径位置ＲＰからタイヤ径方向外側に１０〜１５ｍｍとなる位置に配される。
【００４５】
この場合、波長変化領域２１においては、タイヤの撓みに対する柔軟性がタイヤ径方向外側に向かって徐々に大きくなり、リムフランジ近辺からサイドウォール部にわたる領域がタイヤの撓み変形に追従し易くなって、タイヤの耐久性を高めることができる。それでいて、波長変化領域２１の内周側に波長小領域２２が形成されることにより、リムとの接触端となるリムフランジＲＦの外周端付近（リム基準径位置ＲＰから１５〜２０ｍｍ上の辺り）での歪みの集中を緩和して、ビード部１の耐久性を高めることができる。
【００４６】
（５）前述の実施形態では、カーカスプライの端部の両側にそれぞれ１列のコードを配置し、それによって端部を挟み込んだ構造を示したが、本発明では、図１１に例示するようにカーカスプライの端部を挟み込むコードが複数列であっても構わない。
【実施例】
【００４７】
以下、本発明の構成と効果を具体的に示す実施例について説明する。実施例等における評価項目は下記のようにして測定を行った。
【００４８】
（１）縦剛性
タイヤの径方向に最大負荷能力の７０％相当の負荷Ｗをかけて圧縮し、図１２の如き縦撓みと負荷の関係グラフを求めた。Ｗ１＝Ｗ−α、Ｗ２＝Ｗ＋α、α＝４９０Ｎ、Ｗ１，Ｗ２に対応する縦撓みをＲ１，Ｒ２とし、２α／（Ｒ１−Ｒ２）の式により縦剛性（Ｎ／ｍｍ）を算出した。試験では、１７×７のリムにタイヤを装着し、空気圧を２２０ｋＰａ、負荷Ｗを３７２４Ｎとして測定を行った。従来例の結果を１００として指数評価し、当該数値が小さいほど縦剛性が小さいことを示す。
【００４９】
（２）一般耐久性
ＪＩＳＤ４２３０に規定する方法により耐久性試験を行った。試験段階３を終えてもクラック等が確認されない場合は、継続してタイヤに速度および負荷を与えることとし、不具合が確認されるまでの試験時間を測定した。試験では、１７×７のリムにタイヤを装着し、空気圧を１８０ｋＰａとした。従来例の結果を１００として指数評価し、当該数値が大きいほど試験時間が長く一般耐久性に優れていることを示す。
【００５０】
（３）ビード耐久性
室温３５〜５５℃の試験室内において、空気圧を５００ｋＰａとしたタイヤを直径１７００ｍｍのドラムに押し当て、最大負荷能力の１５５％の荷重を負荷した状態で速度６０ｋｍ／ｈにて走行させ、ビード部に故障が確認されるまでの試験時間を測定した。試験では、１７×７．５のリムにタイヤを装着して測定を行った。従来例の結果を１００として指数評価し、当該数値が大きいほど試験時間が長くビード耐久性に優れていることを示す。
【００５１】
従来例
図１３に示すような一般的なビード構造を有するタイヤ（サイズ２１５／４５Ｒ１７）を従来例とした。ビードフィラーの先端の高さは３３ｍｍ、サイド補強層の外周端の高さは４２ｍｍ、カーカスプライの端部の巻き上げ高さは５７ｍｍとした。これらの高さ寸法は何れもリム基準径位置からの距離である。
【００５２】
参考例及び実施例１〜６
前述の実施形態で示したような、波形状のコードの挟み込みによるビード構造を有するタイヤ（サイズ２１５／４５Ｒ１７）を参考例及び実施例１〜６とした。外側巻回体の外周端の高さは４２ｍｍであり、この高さ寸法はリム基準径位置からの距離である。参考例では、波形状のコードの振幅と波長を一定とし、実施例１〜６では、波形状のコードの振幅及び／又は波長をタイヤ径方向外側に向かって徐々に変化させた。また、コードとしては、フィラメントを撚ったスチールコード（径：２．０ｍｍ、構成：２＋７×０．３５、引張り強力：２．４ｋＮ）を使用した。
【００５３】
比較例
外側巻回体を構成するコードが非波形状であること以外は、参考例と同じであるタイヤを比較例とした。各例の評価結果を表１に示す。
【００５４】
【表１】
0005361241.tif 000002
【００５５】
表１より、参考例及び実施例１〜６では、従来例よりも縦剛性が低下しており、それに起因して優れた一般耐久性を発揮できている。特に実施例４〜６では、一般耐久性だけでなくビード耐久性にも優れている。一方、比較例は、参考例及び実施例１〜６と同じくカーカスプライの端部を巻回体で挟み込んだ構造を有するが、縦剛性が高いために一般耐久性が悪化している。
【００５６】
参考例及び実施例１〜６では、外側巻回体の外周側部分を構成するコードを波形状としながらも、その内周側部分を構成するコードについては振幅を有しない非波形状としているため、ビード部の下部周辺の剛性が確保され、優れたビード耐久性を発揮できている。一方、比較例では、外側巻回体を構成するコードが振幅を有しない非波形状であるものの、リムフランジ近辺からサイドウォール部にわたる領域の耐久性が低いことが影響して、ビード耐久性が悪化している。
【図面の簡単な説明】
【００５７】
【図１】本発明に係る空気入りタイヤを概略的に示すタイヤ子午線断面図
【図２】ビード部からサイドウォール部にわたる領域を示す部分断面図
【図３】波形状のコードを示す図
【図４】外側巻回体のコード形状を概略的に示す要部側面図（本発明に含まれない）
【図５】コードを波形状に成形するための装置を説明する概略図
【図６】本発明の実施形態に係る外側巻回体の外周側部分のコード形状を概略的に示す要部側面図
【図７】本発明の別実施形態に係る外側巻回体の外周側部分のコード形状を概略的に示す要部側面図
【図８】本発明の別実施形態に係る外側巻回体の外周側部分のコード形状を概略的に示す要部側面図
【図９】本発明の別実施形態に係る外側巻回体の外周側部分のコード形状を概略的に示す要部側面図
【図１０】本発明の別実施形態に係る外側巻回体の外周側部分のコード形状を概略的に示す要部側面図
【図１１】本発明の別実施形態に係るビード部からサイドウォール部にわたる領域を示す部分断面図
【図１２】縦剛性の算出に用いるグラフの一例
【図１３】従来の空気入りタイヤを概略的に示すタイヤ子午線断面図
【符号の説明】
【００５８】
１      ビード部
２      サイドウォール部
３      トレッド部
４      カーカスプライ
４ａ    端部
５      外側巻回体
５ａ    外周端
６      内側巻回体
７      コード
７ｉ    外側巻回体の内周側部分を構成するコード
７ｏ    外側巻回体の外周側部分を構成するコード
１１    振幅変化領域
１２    振幅大領域
２１    波長変化領域
２２    波長小領域
ＲＦ    リムフランジ
ＲＰ    リム基準径位置
【図１】
0005361241.tif 000003
【図２】
0005361241.tif 000004
【図３】
0005361241.tif 000005
【図４】
0005361241.tif 000006
【図５】
0005361241.tif 000007
【図６】
0005361241.tif 000008
【図７】
0005361241.tif 000009
【図８】
0005361241.tif 000010
【図９】
0005361241.tif 000011
【図１０】
0005361241.tif 000012
【図１１】
0005361241.tif 000013
【図１２】
0005361241.tif 000014
【図１３】
0005361241.tif 000015